(57)【要約】【課題】被検体の乳房の位置決めが容易なマンモグラフィ装置を提供する。【解決手段】被検体Ｐの乳房である撮影部位Ｐ１を支持する撮影台１１と、撮影台１１に支持された撮影部位Ｐ１を圧迫する第１及び第２の圧迫板１２，１３と、第１及び第２の圧迫板１２，１３に圧迫された撮影部位Ｐ１にＸ線を照射するＸ線発生部２０と、Ｘ線発生部２０により照射され、撮影部位Ｐ１を透過したＸ線を検出してＸ線投影データを生成するＸ線検出部３０と、Ｘ線検出部３０で生成されたＸ線投影データを処理して画像データを生成する画像処理部３とを備え、第１の圧迫板１２は撮影台１１に支持された撮影部位Ｐ１の胸壁近傍を圧迫固定する。撮影部位Ｐ１の胸壁近傍が圧迫固定された後、第２の圧迫板１３は撮影部位Ｐ１の胸壁近傍以外の部分を圧迫する。【選択図】図１
2010088586.tif 000002
【特許請求の範囲】
【請求項１】
被検体の乳房を支持する撮影台と、
前記撮影台に支持された前記乳房を圧迫する第１及び第２の圧迫板と、
前記第１の圧迫板により一部が圧迫された後に、前記第２の圧迫板により前記一部以外の部分が圧迫された前記乳房にＸ線を照射するＸ線発生手段と、
前記Ｘ線発生手段により照射され、前記乳房を透過したＸ線を検出してＸ線投影データを生成するＸ線検出手段と、
前記Ｘ線検出手段により生成されたＸ線投影データを処理して画像データを生成する画像処理手段とを
備えたことを特徴とするマンモグラフィ装置。
【請求項２】
前記乳房を圧迫するために前記第１及び第２の圧迫板を移動する第１及び第２の移動手段を有し、
前記第２の圧迫板は、前記第１の圧迫板と前記第１及び第２の移動手段の間に配置されていることを特徴とする請求項１に記載のマンモグラフィ装置。
【請求項３】
前記第１の移動手段は、前記第１の圧迫板を移動して前記撮影台に支持された前記乳房の胸壁近傍を圧迫し、
前記第２の移動手段は、前記第２の圧迫板を移動して前記撮影台に支持された前記乳房の胸壁近傍以外の部分を圧迫するようにしたことを特徴とする請求項２に記載のマンモグラフィ装置。
【請求項４】
前記第１の移動手段により移動された前記第１の圧迫板の位置を検出する第１の位置検出手段を有し、
前記第２の移動手段は、前記第１の位置検出手段により検出された前記第１の圧迫板の位置検出信号に基づいて、前記第２の圧力板を移動するようにしたことを特徴とする請求項２に記載のマンモグラフィ装置。
【請求項５】
前記第２の移動手段は、前記第２の圧力板を前記撮影台から前記第１の圧迫板と同じ距離離間した位置に停止させるようにしたことを特徴とする請求項４に記載のマンモグラフィ装置。
【発明の詳細な説明】
【技術分野】
【０００１】
本発明は、被検体の乳房のＸ線撮影を行うマンモグラフィ装置に関する。
【背景技術】
【０００２】
被検体の乳房を検査の目的とし、乳房のＸ線撮影により画像データを得るマンモグラフィ装置が知られている（例えば、特許文献１参照。）。このマンモグラフィ装置は、乳房を支持する撮影台及び撮影台に支持された乳房を圧迫する圧迫板を備え、この圧迫板で乳房を扁平に圧迫することにより、体動によるぶれや乳腺の重なりを減少させ、乳房の厚みを薄くすることでＸ線の散乱を少なくしてコントラストの高い画像データを得ることができる。
【０００３】
この圧迫板で乳房を圧迫する場合、先ずＸ線撮影を行う操作者が撮影台に支持された乳房の位置を定めた後、乳房が動かないように手で押さえた上から圧迫板を下げて圧迫固定している。このため、乳房を押さえた手に圧迫板の圧力がかかったタイミングで手を抜き出す必要がある。
【特許文献１】特開２００４−３３７９０号公報
【発明の開示】
【発明が解決しようとする課題】
【０００４】
しかしながら、乳房を押さえた手に圧迫板の圧力がかかった状態で手を抜き出すのは困難であり、無理に手を抜き出そうとすると、定めた位置から乳房がずれてしまう問題がある。
【０００５】
また、小乳房の圧迫に適した手を抜き出しやすい構造をした圧迫板がある。しかしながら、通常の圧迫板よりもサイズが小さいために、小乳房よりも大きいサイズの乳房を圧迫することができない問題がある。そして、小乳房よりも大きいサイズの乳房を圧迫するときには通常の圧迫板に交換する必要があるため、手間がかかる問題がある。
【０００６】
本発明は、上記問題点を解決するためになされたもので、被検体の乳房の位置決めが容易なマンモグラフィ装置を提供することを目的とする。
【課題を解決するための手段】
【０００７】
上記問題を解決するために、本発明のマンモグラフィ装置は、被検体の乳房を支持する撮影台と、前記撮影台に支持された前記乳房を圧迫する第１及び第２の圧迫板と、前記第１の圧迫板により一部が圧迫された後に、前記第２の圧迫板により前記一部以外の部分が圧迫された前記乳房にＸ線を照射するＸ線発生手段と、前記Ｘ線発生手段により照射され、前記乳房を透過したＸ線を検出してＸ線投影データを生成するＸ線検出手段と、前記Ｘ線検出手段により生成されたＸ線投影データを処理して画像データを生成する画像処理手段とを備えたことを特徴とする。
【発明の効果】
【０００８】
本発明によれば、２つの圧迫板を設け、小乳房よりも大きいサイズの乳房を圧迫する場合、撮影台上に位置を定めた乳房の一部を一方の圧迫板で圧迫固定した後、一部以外の部分を他方の圧迫板で圧迫することにより、乳房の位置決めを容易に行うことができる。また、小乳房よりも大きいサイズの乳房を圧迫する場合、一方の圧迫板を用いて乳房の位置決めを容易に行うことができるため、圧迫板を交換する手間を削減することができる。
【発明を実施するための最良の形態】
【０００９】
本発明の実施例を説明する。
【実施例】
【００１０】
以下、本発明によるマンモグラフィ装置の実施例を、図１乃至図７を参照して説明する。
【００１１】
図１は、本発明の実施例に係るマンモグラフィ装置の構成を示したブロック図である。このマンモグラフィ装置１００は、被検体Ｐの乳房である撮影部位Ｐ１のＸ線撮影によりＸ線投影データの生成を行う撮影部本体１と、この撮影部本体１のＸ線撮影に必要な高電圧を供給する高電圧発生部２と、撮影部本体１で生成されたＸ線投影データを処理して画像データを生成する画像処理部３とを備えている。
【００１２】
また、マンモグラフィ装置１００は、画像処理部３で生成された画像データを表示する表示部４と、Ｘ線照射条件等の撮影条件の設定、表示に関する諸条件の設定、種々のコマンドの入力等の操作を行う操作部５と、上述したこれらのユニットを統括して制御するシステム制御部６とを備えている。
【００１３】
撮影部本体１は、図２に示すように、撮影部位Ｐ１のＸ線撮影によりＸ線投影データの生成を行う撮影部７と、この撮影部７を上下方向への移動及び矢印Ｒ１方向への回動を可能に支持する本体支持部８とを備えている。
【００１４】
図３は、撮影部７の外観を示した斜視図である。この撮影部７は、撮影部位Ｐ１を圧迫する圧迫部１０と、圧迫部１０で圧迫された撮影部位Ｐ１にＸ線を照射するＸ線発生部２０と、このＸ線発生部２０からのＸ線照射により撮影部位Ｐ１を透過したＸ線を検出してＸ線投影データを生成するＸ線検出部３０と、Ｘ線発生部２０、Ｘ線検出部３０、及び圧迫部１０の一部を覆うカバー４０とを備えている。
【００１５】
図４は、圧迫部１０の構成を示した図である。この圧迫部１０は、Ｘ線発生部２０とＸ線検出部３０の間に配置され、撮影部位Ｐ１を支持する撮影台１１と、撮影台１１に支持された撮影部位Ｐ１を圧迫する第１及び第２の圧迫板１２，１３と、第１及び第２の圧迫板１２，１３を移動する第１及び第２の移動部１４，１５とを備えている。
【００１６】
撮影台１１は、Ｘ線透過性に優れた例えば板状のカーボンコンポジット材からなり、撮影部位Ｐ１を支持する支持面１１ａが平面を成している。
【００１７】
第１の圧迫板１２は、従来の通常の圧迫板のサイズよりも小さくＸ線透過性に優れた例えばアクリル材からなり、撮影台１１に対向して配置される。また、撮影部位Ｐ１を圧迫する圧迫面１２ａが平面を成して撮影台１１の支持面１１ａに対して平行に配置され、撮影台１１に対して近づく方向である矢印Ｌ１及びこのＬ１方向とは反対方向である矢印Ｌ２方向に移動可能に第１の移動部１４に支持されている。
【００１８】
そして、撮影部位Ｐ１が小乳房である場合、Ｌ１方向に第１の圧迫板１２を移動した後、撮影台１１上に伸展され、位置が定められた撮影部位Ｐ１のすべてに亘って扁平に圧迫した状態で停止する。
【００１９】
このように、撮影部位Ｐ１が小乳房である場合、第１の圧迫板１２を用いることにより、撮影部位Ｐ１の位置決めを容易に行うことができる。
【００２０】
また、撮影部位Ｐ１が小乳房よりも大きいサイズの乳房である場合、撮影台１１上に伸展し、位置を定めた撮影部位Ｐ１が動かないように、撮影部位Ｐ１の胸壁近傍以外の部分を手で押さえた状態で、Ｌ１方向に第１の圧迫板１２を移動した後、撮影部位Ｐ１の胸壁近傍を扁平に圧迫固定した状態で停止する。
【００２１】
このように、撮影部位Ｐ１が小乳房よりも大きいサイズの乳房である場合、撮影台１１及び第１の圧迫板１２に手が挟まれることなく撮影部位Ｐ１の位置決めを行うことができる。これにより、撮影部位Ｐ１の位置ずれを起こすことなく、撮影部位Ｐ１の位置決めを容易に行うことができる。
【００２２】
第２の圧迫板１３は、例えば第１の圧迫板１２と合わせて従来の通常の圧迫板のサイズになるＸ線透過性に優れた例えばアクリル材からなり、撮影台１１に対向して配置される。また、第１の圧迫板１２と第１及び第２の移動部１４，１５の間に配置され、撮影部位Ｐ１を圧迫する圧迫面１３ａが平面を成して撮影台１１の支持面１１ａに対して平行に配置される。更に、第１の圧迫板１２と同様にＬ１方向及びＬ２方向に移動可能に第２の移動部１５に支持されている。
【００２３】
そして、撮影部位Ｐ１が小乳房よりも大きいサイズである場合、第１の圧迫板１２による撮影部位Ｐ１の胸壁近傍の圧迫固定後に、Ｌ１方向に第２の圧迫板１３を移動した後、撮影部位Ｐ１の胸壁近傍以外の伸展された部分を扁平に圧迫した状態で停止する。
【００２４】
このように、撮影部位Ｐ１が小乳房よりも大きいサイズの乳房である場合、撮影部位Ｐ１の胸壁近傍を第１の圧迫板１２で圧迫固定しているため、位置ずれを起こすことなく撮影部位Ｐ１の胸壁近傍以外の部分を圧迫することができる。
【００２５】
第１の移動部１４は、第１の圧迫板１２をＬ１方向及びＬ２方向に移動する第１の移動機構１４１と、この第１の移動機構１４１に設けられたＬ１方向及びＬ２方向における第１の圧迫板１２の位置を検出するポテンショメータ等の第１の位置検出器１４２及び撮影部位Ｐ１を圧迫した第１の圧迫板１２の圧力を検出する第１の圧力検出器１４３とを備えている。
【００２６】
そして、第１の移動機構１４１は、第１の圧迫板１２を長手方向の両端面で支持する２つの第１のアーム１４１ａを有し、この第１のアーム１４１ａを移動駆動して第１の圧迫板１２をＬ１方向及びＬ２方向に移動する。また、第１の位置検出器１４２は、第１の移動機構１４１が移動した第１の圧迫板１２の位置を検出し、その位置検出信号をシステム制御部６に出力する。更に、第１の圧力検出器１４３は、第１の移動機構１４１が移動して第１の圧迫板１２が撮影部位Ｐ１を圧迫した圧力を検出し、その圧力検出信号をシステム制御部６に出力する。
【００２７】
第２の移動部１５は、第２の圧迫板１３をＬ１方向及びＬ２方向に移動する第２の移動機構１５１と、この第２の移動機構１５１に設けられたＬ１方向及びＬ２方向における第２の圧迫板１３の位置を検出するポテンショメータ等の第２の位置検出器１５２及び撮影部位Ｐ１を圧迫した第２の圧迫板１３の圧力を検出する第２の圧力検出器１５３とを備えている。
【００２８】
そして、第２の移動機構１５１は、第２の圧迫板１３を長手方向の両端面及び幅方向の第１の圧迫板１２側とは反対側の端面で支持する第２のアーム１５１ａを有し、この第２のアーム１５１ａを移動駆動して第２の圧迫板１３をＬ１方向及びＬ２方向に移動する。また、第２の位置検出器１５２は、第２の移動機構１５１が移動した第２の圧迫板１３の位置を検出し、その位置検出信号をシステム制御部６に出力する。更に、第２の圧力検出器１５３は、第２の移動機構１５１が移動して第２の圧迫板１３が撮影部位Ｐ１を圧迫した圧力を検出し、その圧力検出信号をシステム制御部６に出力する。
【００２９】
なお、第１及び第２の移動部１４，１５は、Ｘ線発生部２０のＸ線の照射範囲から外れた位置に配置される。
【００３０】
図１に示したＸ線発生部２０は、Ｘ線を発生するＸ線管２１と、Ｘ線管２１と圧迫部１０の第１及び第２の圧迫板１２，１３の間に位置し、Ｘ線管２１から発して撮影部位Ｐ１に照射するＸ線の照射範囲を、Ｘ線検出部３０で検出可能な範囲内に制御するＸ線絞り器２２とを備えている。そして、圧迫部１０で圧迫された撮影部位Ｐ１にＸ線を照射する。なお、撮影部位Ｐ１の正常組織とＸ線吸収差が少ない病変組織を高いコントラストで抽出する必要があるため低エネルギのＸ線を照射する。
【００３１】
Ｘ線検出部３０は、Ｘ線発生部２０に対して対向して配置され、Ｘ線を検出して電気信号に変換するＸ線検出器３１と、Ｘ線検出器３１で変換された信号からＸ線投影データを生成する信号処理部３２とを備えている。そして、圧迫部１０で圧迫された撮影部位Ｐ１を透過したＸ線の検出により生成したＸ線投影データを画像処理部３に出力する。
【００３２】
このように、圧迫部１０で撮影部位Ｐ１を扁平に圧迫することにより、動きによるぶれや乳腺の重なりを減らし、撮影部位Ｐ１の厚みを薄くすることでＸ線の散乱を少なくすることが可能になるため、コントラストの高い乳腺を鮮明に写し出した画像データを得ることができる。
【００３３】
図３に示したカバー４０は、Ｘ線発生部２０の撮影部位Ｐ１にＸ線を照射する開口部以外、Ｘ線検出部３０のＸ線を検出する検出面以外、並びに第１及び第２の移動部１４，１５の第１及び第２の圧迫板１２，１３を支持する第１及び第２のアーム１４１ａ，１５１ａ及び第１及び第２のアーム１４１ａ，１５１ａの移動が可能なように設けられた開口部以外を覆っている。
【００３４】
図１に示した高電圧発生部２は、システム制御部６から供給される撮影条件に含まれるＸ線照射条件である管電圧、管電流、Ｘ線照射時間等に基づいて、撮影部本体１の撮影部７におけるＸ線発生部２０のＸ線管２１にＸ線を発生させるための高電圧を供給する。
【００３５】
画像処理部３は、撮影部本体１の撮影部７におけるＸ線検出部３０の信号処理部３２から出力されるＸ線投影データから画像データを生成し、生成した画像データを表示部４に出力する。また、生成した画像データを保存する。
【００３６】
表示部４は、液晶パネルやＣＲＴ等のモニターを備え、画像処理部３から出力された画像データを表示する。
【００３７】
操作部５は、キーボード、マウス、各種スイッチ等の入力デバイスを備え、撮影条件を設定する入力操作、撮影部７を上下移動及び回動させる入力操作、第１及び第２の圧迫板１２，１３をＬ１及びＬ２方向に移動させる入力操作、検査を開始させる入力操作、検査を終了させる入力操作等を行う。
【００３８】
システム制御部６は、ＣＰＵと記憶回路を備え、操作部５から供給されるコマンド信号、撮影条件などの入力情報を一旦記憶した後、これらの入力情報に基づいてシステム全体の制御を行なう。また、第１の移動部１４の第１の位置検出器１４２から出力される位置検出信号に基づいて、第２の移動部１５の第２の移動機構１５１を制御する。
【００３９】
以下、図１乃至図７を参照してマンモグラフィ装置１００の動作の一例を説明する。  
図５は、マンモグラフィ装置１００の動作を示したフローチャートである。検査対象の被検体Ｐを識別する被検体情報や、Ｘ線照射条件を含む撮影条件等の検査情報の入力操作が操作部５から行われると、マンモグラフィ装置１００は検査を行う動作を開始する（ステップＳ１）。
【００４０】
システム制御部６は、操作部５から入力された検査情報に基づいて、撮影部本体１、画像処理部３、及び表示部４に被検体Ｐの検査を指示する。操作部５からの入力操作により、第１及び第２の圧迫板１２，１３をＬ２方向に移動する。次いで、検査対象の被検体Ｐの例えば小乳房よりも大きいサイズの乳房である撮影部位Ｐ１を、撮影台１１の支持面１１ａ上に伸展して位置を定めた後、撮影部位Ｐ１が動かないように撮影部位Ｐ１の胸壁近傍以外の部分を操作者が手で押さえた状態で、操作部５から第１の圧迫板１２をＬ１方向に移動する操作が行われると、第１の移動部１４の移動機構１４１は、第１の圧迫板１２をＬ１方向に移動した後、第１の圧迫板１２で撮影部位Ｐ１の胸壁近傍を圧迫する（ステップＳ２）。
【００４１】
第１の圧力検出器１４３は、撮影部位Ｐ１を圧迫した第１の圧迫板１２の圧力検出信号をシステム制御部６に出力する。システム制御部６は、第１の圧力検出器１４３からの圧力検出信号から第１の圧迫板１２で撮影部位Ｐ１を押さえつける力である圧力データを生成して表示部４に表示する（ステップＳ３）。
【００４２】
表示部４に表示された圧力データが所定の圧力値に達したとき、操作部５から第１の圧迫板１２を停止させる操作が行われると、第１の圧迫板１２は、図６に示すように、第１の移動機構１４１により、撮影台１１により支持された撮影部位Ｐ１の胸壁近傍を圧迫固定した状態で停止する（ステップＳ４）。
【００４３】
このように、撮影部位Ｐ１が小乳房よりも大きいサイズである場合、撮影部位Ｐ１の胸壁近傍以外の部分を手で押さえた状態で、第１の圧迫板１２を用いて撮影部位Ｐ１の胸壁近傍を圧迫固定することにより、撮影部位Ｐ１の位置決めを行うことができる。これにより、撮影台１１及び第１の圧迫板１２に手が挟まれることなく撮影部位Ｐ１の位置決めを行うことが可能となり、撮影部位Ｐ１の位置ずれを起こすことなく、撮影部位Ｐ１の位置決めを容易に行うことができる。
【００４４】
第１の位置検出器１４２は、第１の圧迫板１２が停止した位置を検出してその位置検出信号をシステム制御部６に出力する。システム制御部６は、第１の位置検出器１４２から出力された位置検出信号から第１の圧迫板１２の位置情報である例えば撮影台１１と第１の圧迫板１２の間の距離Ｄ１を算出して内部の記憶回路に保存する。
【００４５】
第１の圧迫板１２で撮影部位Ｐ１の位置決めを行った後に、操作部５から第２の圧迫板１３をＬ１方向に移動する入力操作が行われると、第２の位置検出器１５２は、第２の圧迫板１３の位置を検出してその位置検出信号をシステム制御部６に出力する。システム制御部６は、第２の位置検出器１５２から出力される位置検出信号及び第１の圧迫板１２の停止した位置情報に基づいて、第２の移動機構１５１を制御して第２の圧迫板１３を作動させる。そして、第２の圧迫板１３は、図７に示すように、幅方向における端面が第１の圧迫板１２の幅方向の端面に近接した撮影台１１との距離が撮影台１１と第１の圧迫板１２の間の距離Ｄ１と同じになる位置で、撮影部位Ｐ１の胸壁近傍以外の部分を圧迫した状態で停止する（ステップＳ５）。
【００４６】
このように、撮影部位Ｐ１が小乳房よりも大きいサイズである場合、第１の圧迫板１２を用いて撮影部位Ｐ１の胸壁近傍を圧迫固定した後に、圧迫固定した第１の圧迫板１２の位置情報に基づいて、第２の圧力板１３を撮影台１１から第１の圧迫板１２と同じ距離離間した位置に停止させることにより、第２の圧迫板１３を用いて胸壁近傍以外の部分を圧迫することができる。これにより、撮影部位Ｐ１のすべての部分に亘って均一な厚さで圧迫することができる。
【００４７】
次いで、操作部５からＸ線撮影の操作が行われると、高電圧発生部２は高電圧をＸ線発生部２０に供給する。Ｘ線発生部２０は、第１及び第２の圧迫板１２，１３で圧迫された撮影部位Ｐ１に対してＸ線を照射する。Ｘ線検出部３０は、撮影部位Ｐ１を透過したＸ線を検出してＸ線投影データを生成し、生成したＸ線投影データを画像処理部３に出力する。画像処理部３は、Ｘ線検出部３０から出力されたＸ線投影データに基づいて画像データを生成して表示部４に表示すると共に生成した画像データを保存する。
【００４８】
このように、撮影部位Ｐ１を撮影台１１と第１及び第２の圧迫板１２，１３で扁平に圧迫することにより、体動によるぶれや乳腺の重なりを減らし、撮影部位Ｐ１の厚みを薄くすることでＸ線の散乱を少なくすることが可能になるため、コントラストの高い乳腺を鮮明に写し出した画像データを得ることができる。
【００４９】
所望の画像データを保存した後、操作部５から第１及び第２の圧迫板１２，１３をＬ１方向に移動させる入力操作が行われると、第１及び第２の圧迫板１２，１３は、第１及び第２の移動機構１４１，１５１によりＬ１方向に移動して、所定の高さで停止する。次いで、操作部５から被検体Ｐの検査を終了させる入力操作が行われると、システム制御部６が検査の終了を撮影部本体１、画像処理部３、及び表示部４に指示することにより、マンモグラフィ装置１００は、検査の動作を終了する（ステップＳ６）。
【００５０】
以上述べた本発明の実施例によれば、撮影台１１に支持された撮影部位Ｐ１を圧迫する第１及び第２の圧迫板１２，１３を設け、撮影部位Ｐ１が小乳房よりも大きいサイズの乳房である場合、撮影部位Ｐ１の胸壁近傍以外の部分を手で抑えた状態で第１の圧迫板１２を用いて撮影部位Ｐ１の胸壁近傍を扁平に圧迫固定することにより、撮影台１１及び第１の圧迫板１２に手が挟まれることなく撮影部位Ｐ１の位置決めを行うことができる。これにより、撮影部位Ｐ１の位置ずれを起こすことなく、撮影部位Ｐ１の位置決めを容易に行うことができる。
【００５１】
撮影部位Ｐ１の胸壁近傍を圧迫固定した後に、その位置における第１の圧迫板１２の位置情報に基づいて、第２の圧力板１３を撮影台１１から第１の圧迫板１２と同じ距離離間した位置に停止させることにより、撮影部位Ｐ１の胸壁近傍以外の部分を扁平に圧迫することができる。これにより、撮影部位Ｐ１のすべての部分に亘って均一な厚さで圧迫することができる。
【００５２】
以上により、体動によるぶれや乳腺の重なりを減らし、撮影部位Ｐ１の厚みを薄くすることでＸ線の散乱を少なくすることが可能になるため、コントラストの高い乳腺を鮮明に写し出した画像データを得ることができる。
【００５３】
また、撮影部位Ｐ１が小乳房である場合、第１の圧迫板１２を用いて撮影部位Ｐ１を圧迫することにより、撮影部位Ｐ１の位置決めを容易に行うことができる。そして、被検体Ｐの乳房のサイズに応じて第１圧迫板１２並びに第１及び第２の圧迫板１２，１３を使い分けることにより、圧迫板の交換にかかる手間を削減することができる。
【図面の簡単な説明】
【００５４】
【図１】本発明の実施例に係るマンモグラフィ装置の構成を示すブロック図。
【図２】本発明の実施例に係る撮影部本体の外観を示す図。
【図３】本発明の実施例に係る撮影部の外観を示す斜視図。
【図４】本発明の実施例に係る圧迫部の構成を示す図。
【図５】本発明の実施例に係るマンモグラフィ装置の動作を示すフローチャート。
【図６】本発明の実施例に係る撮影部位の胸壁近傍を圧迫固定した状態で停止した第１の圧迫板を示す図。
【図７】本発明の実施例に係る撮影部位の胸壁近傍以外の部分を圧迫した状態て停止した第２の圧迫板を示す図。
【符号の説明】
【００５５】
Ｐ１  撮影部位
１  撮影部本体
２  高電圧発生部
３  画像処理部
４  表示部
５  操作部
６  システム制御部
７  撮影部
８  本体支持部
１０  圧迫部
１１  撮影台
１２  第１の圧迫板
１３  第２の圧迫板
１４  第１の移動部
１５  第２の移動部
２０  Ｘ線発生部
２１  Ｘ線管
２２  Ｘ線絞り器
３０  Ｘ線検出部
３１  Ｘ線検出器
３２  信号処理部
【図１】
2010088586.tif 000003
【図２】
2010088586.tif 000004
【図３】
2010088586.tif 000005
【図４】
2010088586.tif 000006
【図５】
2010088586.tif 000007
【図６】
2010088586.tif 000008
【図７】
2010088586.tif 000009